(57)【特許請求の範囲】
【請求項１】
出入り口を塞ぐドアと、前記出入り口の上方において間口方向に延びるように配置した金属板製のドア吊り枠と、前記ドアをスライド自在に吊支するためにドア吊り枠に取付けられたレール装置と、前記レール装置で吊支されたドアを駆動するためにレール装置よりも上方においてドア吊り枠に取付けられたリニアモータとを備えており、
前記レール装置は、前記ドア吊り枠の前面に固定された固定レールと、多数のボールを介して固定レールの前面に重ね装着された可動レールと、前記多数のボールを保持するリテーナとを備えており、レール装置は上下幅寸法よりも前後厚さ寸法が小さい略平らな状態になっている一方、
前記リニアモータは、ドアの開閉方向に長く延びる固定子と、前記ドアが固定された可動子とを備えており、前記可動子の前後幅は前記レール装置の前後幅よりも大きくなっており、
更に、前記ドア吊り枠はリニアモータにおける固定子の裏側から下方に延びており、前記ドア吊り枠のうちレール装置の固定レールが取付く部分を前向き凸部に形成し、このドア吊り枠の前向き凸部の裏側の空間にリニアモータ用付属機器を配置している、
リニアモータ駆動式の引き戸装置。
【請求項２】
前記リニアモータ用付属機器が配置された空間はランマパネルによってドア吊り枠と反対側から覆われており、前記ランマパネルの下方のうち開いたドアの裏側に位置する部位に戸袋用パネルを配置している、
請求項１に記載したリニアモータ駆動式の引き戸装置。
【発明の詳細な説明】
【０００１】
【発明の属する技術分野】
本発明は、リニアモータで駆動される引き戸装置（スライディングドア）に関するものである。
【０００２】
【従来の技術】
引き戸装置において、例えば特許第２７８５１８４号公報には、リニアモータを使用してドアの開閉を行うことが記載されている。
【０００３】
また、特開昭２０００−８７６４９号公報には、リニアモータで自動ドアを開閉することが記載されている。更に、実開平４−７３１９０号公報には、車両用のドアをリニアモータで開閉することが提案されている。
【０００４】
【発明が解決しようとする課題】
ドアは相応の重量があるため（特に建物用の防火ドアの場合はかなりの重量がある）、リニアモータの可動子でドアを直接に吊支するのは、強度的に好ましくない。
【０００５】
従って、ドアをレール装置によってスライド自在に吊支することにより、ドアの荷重の支持とスライドガイドとの機能はレール装置に担わせ、リニアモータにはドアの駆動機能のみを担わせるのが好ましい。
【０００６】
そこで、例えば前記実開平４−７３１９０号公報には、ドアの上端に設けたブラケットに複数のローラを取付け、このローラを固定レールに転動自在に嵌め込み、更に、前記ブラケットにリニアモータの可動子を連結板で固定することが記載されている。
【０００７】
しかし、上記実開平４−７３１９０号公報のようにローラとレールとから成る支持機構では、ドアがその厚さ方向（出入り口の奥行き方向）に横揺れしやすいため、リニアモータに外力が作用して耐久性が低下する虞があった。
【０００８】
他方、リニアモータは制御ボックスや電源ボックスなどの付属機器を備えているが、建物の引き戸装置の場合、これらの付属機器の設置場所を確保し難い場合があった。特に、戸袋を備えていない引き戸装置の場合、引き戸装置の奥行き寸法は小さくなるため、付属機器の設置場所を確保するのが特に厄介であった。
【０００９】
本願発明は、このような現状を改善することを目的とするものである。
【００１０】
【課題を解決するための手段】
本発明の引き戸装置は、出入り口を塞ぐドアと、前記出入り口の上方において間口方向に延びるように配置した金属板製のドア吊り枠と、前記ドアをスライド自在に吊支するためにドア吊り枠に取付けられたレール装置と、前記レール装置で吊支されたドアを駆動するためにレール装置よりも上方においてドア吊り枠に取付けられたリニアモータとを備えている。
【００１１】
そして、請求項１の発明では、前記レール装置は、前記ドア吊り枠の前面に固定された固定レールと、多数のボールを介して固定レールの前面に重ね装着された可動レールと、前記多数のボールを保持するリテーナとを備えており、レール装置は上下幅寸法よりも前後厚さ寸法が小さい略平らな状態になっている一方、前記リニアモータは、ドアの開閉方向に長く延びる固定子と、前記ドアが固定された可動子とを備えており、前記可動子の前後幅は前記レール装置の前後幅よりも大きくなっており、更に、前記ドア吊り枠はリニアモータにおける固定子の裏側から下方に延びており、前記ドア吊り枠のうちレール装置の固定レールが取付く部分を前向き凸部に形成し、このドア吊り枠の前向き凸部の裏側の空間にリニアモータ用付属機器を配置している。
【００１２】
請求項２の発明では、請求項１において、前記リニアモータ用付属機器が配置された空間は、ランマパネルによってドア吊り枠と反対側から覆われており、前記ランマパネルの下方のうち開いたドアの裏側に位置する部位に戸袋用パネルを配置している。
【００１３】
【発明の作用・効果】
本発明で使用するレール装置は、可動レールが固定レールの前面に重なった状態になっているため、可動レールの姿勢安定性が高い。
【００１４】
このため、レール装置の可動レールに吊り金具を介してドアを固定することにより、ドアを横揺れしにくい安定した姿勢で吊支することができる。その結果、リニアモータに作用する外力を低減して、当該リニアモータの耐久性を向上することができる。
【００１５】
そして、レール装置は上下幅寸法よりも厚さ寸法が小さくなる姿勢で配置しているため、ドア吊り枠のうちレール装置が取付く前向き凸部の反対側に大きい奥行きの空間を確保することが可能となり、その空間に、リニアモータ用付属機器などの物品を収納することが可能となる。
【００１６】
従って、本願発明によると、ドアを安定した姿勢でスライドさせることができると共に、薄型の引き戸装置であっても、ドアの上方の空間を有効利用して、リニアモータ用付属機器のような物品をコンパクトにまとめることができる。
【００１７】
建物の床から天井までの高さはまちまちである一方、引き戸装置自体は高さに関係なく取付けできるようにユニット化して汎用性を持たせるのがコスト的には好ましく、したがって、リニアモータの付属機器はドア吊り枠の上方でなく裏側に配置するのが好ましい。
【００１８】
そして、本願発明では、リニアモータ用付属機器をドア吊り枠の裏側にコンパクトに収納できるため、引き戸装置の汎用性を損なうことなく、スペースを有効利用することができる。
【００１９】
ところで、引き戸装置は施工場所の状況の違いによって厚さが様々に異なるものであり、例えば建物に後付けで施工する壁に取付ける場合など、できるだけ薄くしないといけない場合がある。
【００２０】
この点、請求項２のように構成すると、ドア吊り枠の収納空間と戸袋パネルとが上下に重なる状態で配置されているため、引き戸装置の全体の厚さを薄くても、リニアモータ及びその付属機器を設置することができる。換言すると、全体の厚さが薄い引き戸装置であっても、スペースを有効利用してリニアモータ用付属機器類を設置することができる。
【００２１】
この場合、ランマパネルと戸袋パネルとは、両者の外面がほぼ同一面を成すように配置すると体裁が良くて好ましい。また、ドア吊り枠を挟んで反対側の部位には点検用パネルを配置しても良く、この場合は、点検用パネルとドアとの外面が略同一面を成すように設定すると、体裁が良くて好ましい。
【００２２】
【発明の実施形態】
次に、本発明の実施形態を図面に基づいて説明する。
【００２３】
(1).第１実施形態（図１〜図９）
図１〜図９では第１実施形態を示している。このうち図１は正面図、図２は要部の破断正面図、図３は図１の III-III視断面図、図４は要部の拡大右側面図、図５は要部斜視図である。
【００２４】
ａ．概要
本実施形態の引き戸装置１は、建物に後付け施工した壁２の一部に設けている。壁２は、床３に固定した地レール（地枠体）４と、天井５に固定した天レール（天枠体）６と、天地レール４，６の間に所定間隔で配置した支柱７と、隣合った支柱７の間に配置した上下壁パネル８とを主要部材として構成されている。
【００２５】
なお、各壁パネル８は表裏別々に構成されていても良いし、１枚板のタイプでもよい。また、壁パネル８は必ずしも上下に分離する必要はなく、１枚の壁パネル８が地レール４から天レール６まで延びる構成であっても良い。
【００２６】
引き戸装置１は、出入り口を開閉するドア９と、開いたドア９の裏側に位置する戸袋パネル１０とを備えている。戸袋パネル１０は片側しかないため、ドア９は開いた状態でも片面は露出している。
【００２７】
図３に示すように、引き戸装置１の上部には、間口方向に沿って延びる金属板製のドア吊り枠１１が配置されており、このドア吊り枠１１に、リニアモータ１２とレール装置（サスペンションレール）１３とが上下に離れた状態で取付けられている。
【００２８】
ドア吊り枠１１やリニアモータ１２、レール装置１３が収められている上部空間は、点検用パネル（表パネル又は表カバーと言い換えても良い）１４とランマパネル（裏パネル又は裏カバーと言い換えても良い）１５とで前後から覆われている。
【００２９】
詳細は省略するが、点検用パネル１４は、左右の支柱７に固定したブラケットにねじ１６で固定されており、左右のねじ１６を緩めることにより取り外すことができる。
【００３０】
点検用パネル１４とドア９とはその外面が同一面を成すように配置されており、ランマパネル１５と戸袋パネル１０とは外面が同一面を成すように配置されている。従って、引き戸装置１と壁２との表裏両面は全体として同一面を成すように連続しており、このため、シンプルで体裁が良い。
【００３１】
なお、点検用パネル１４及びランマパネル１５は必ずしも必要はなく、ドア吊り枠１１等を外部に露出した状態であっても良い。
【００３２】
ｂ．ドア吊り枠、ランマパネル
ドア吊り枠１１は鋼板製であり、その上端には，リニアモータ１２を固定するための前向きの水平片１１ａが折曲げ形成されており、略下半部には、前向き凸部１１ｂが形成されており、前向き凸部１１ｂとランマパネル１５との間の空間を収納空間１８と成している。
【００３３】
図２に簡単に示すように、ドア吊り枠１１は、ブラケット１９を介して支柱７に固定されている。
【００３４】
ランマパネル１５は、鋼板製の表面板２０と、表面板２０の内面のうちほぼドア吊り枠１１よりも上方の部位に固着した心板２１と、表面板２０の内面のうち心板２１よりも下方の部位に固着した補強板２２とからなっている。
【００３５】
補強板２２には、収納空間１８を挟んだ上下においてドア吊り枠１１に当接する上下一対の前向き凸部２２ａ，２２ｂが形成されている。下前向き凸部２２ｂはねじ２３でドア吊り枠１１に締結されている。従って、ねじ２３を取り外すとランマパネル１５を取り外すことができる。
【００３６】
戸袋パネル１０の上端はランマパネル１５に固定されており、下端は巾木２４を介して床３に固定されている（なお、戸袋パネル１０は左右の支柱に固定しても良い）。
【００３７】
ｃ．レール装置
図４に示すように、レール装置１３は、ドア吊り枠１１の前向き凸部１１ｂにねじ２５で固定された断面前向き開口コ字状の固定枠２６と、固定枠２６の内部に離脱不能に装着した固定レール２７と、上下２列のボール群２８を介して固定レール２７に離脱不能で左右スライド自在に装着された可動レール２９と、ボール群２８を保持するリテーナ３０とから成っており、全体として上下幅寸法よりも前後厚さ寸法が小さい側面視縦長の形態になっている。
【００３８】
固定枠２６と固定レール２７とはドア吊り枠１１の全長に近い長さであり、可動レール２９はドア９の左右横幅よりもやや短い長さである。
【００３９】
図２〜図４に示すように、可動レール２９の前面には左右長手の吊り金具３１がねじ３２で固定されており、この吊り金具３１の下端に、ドア９の上面に固定したボルト３３の頭が引っ掛けられている。ボルト３３の頭は、押さえ金具３４により、吊り金具３１から離反しないように保持されている。
【００４０】
レール装置１３の可動レール２９は上下２列のボール群２８によって安定した姿勢で水平動し得るため、ドア９も横揺れ（当該ドア９の厚さ方向の揺れ）を抑制した状態で、安定した姿勢でスライドさせることができる。なお、ボール群２８はドア９の幅方向の中心線上に位置している。
【００４１】
図３に示すように、ドア９の下端には下向き開口のガイド溝３５が形成されている一方、ランマパネル１５の下端のうち出入り口に近接した部位にブラケット３６をねじで固定し、このブラケット３６に、ドア９のガイド溝３５に嵌まるガイドローラ３７を水平回転自在に取付けてる。
【００４２】
ｄ．リニアモータの基本構造
例えば図４に示すように、リニアモータ１２は、ドア吊り枠１１の長手方向に沿って長く延びる固定子３９と、ドア９の左右横幅より短い可動子４０とを備えており、固定子３９は、側面視略下向き開口コ字状に形成されたケーシング（ハウジング）４１と、その上部内面に設けた一次側部材４２とを備えており、一次側部材４２はコイルを備えている。
【００４３】
ケーシング４１のうち下部の内面には、蟻溝状のガイド溝４３が相対向した状態で全長にわたって延びている。
【００４４】
可動子４０は、前後の足片４４ａを備えたベース４４を備えており、ベース４４の両足片４４ａには、前記固定子３９のガイド溝４３に転動自在に嵌まるガイドローラ４５が左右適宜間隔で多数取付けられている。ベース４４の上面には、エアギャップを隔てて一次側部材４２と対向する二次導体板４６が固定されている。
【００４５】
可動子４０のベース４４には、連結金具４７がねじで締結されており、連結金具４７の下端部は、前方からねじ込んだねじ４８で前記吊り金具３１に固定されている。従って、リニアモータ１２の可動子４０が左右移動すると、ドア９も一緒に左右スライドする。
【００４６】
連結金具４７を吊り金具３１に固定するねじ４８は、吊り金具３１にねじ込むだけでも良いし、吊り金具３１を貫通して可動レール２９にねじ込んでも良い。連結金具４７と吊り金具３１と可動レール２９とを共締めすると、使用するねじの本数を節約できる利点がある。
【００４７】
但し、連結金具４７は吊り金具３１から取り外すことがあるので、共締めする場合でも、吊り金具３１を可動レール２９に固定する複数本のねじ３２は必要である。
【００４８】
ｅ．リニアモータの取付け
固定子３９のケーシング４１はアルミ等の押し出し加工によって製造されており、例えば図４に示すように、ケーシング４１の上面の前後２ヶ所の部位に、側面視Ｔ形の吊り鉤４９を一体に形成している。
【００４９】
他方、ドア吊り枠１１における上水平片１１ａの下面に受け部材５０をねじ５１で固定し、この受け部材５１の前後２ヶ所の部位に、前記吊り鉤４９が引っ掛かる断面Ｌ形の受け鉤５２を一体に形成している。
【００５０】
この場合、ケーシング４１のずれを防止するため、吊り鉤４９の下面及び受け鉤５２の上面を若干の角度で傾斜させている。また、ケーシング４１を最も上まで持ち上げると吊り鉤４９を受け鉤５２に前後方向から嵌脱できるように、吊り鉤４９の上方に若干の隙間が空いており、かつ、吊り鉤４９の手前側には、当該吊り鉤４９を受け鉤５２に引っ掛けることなく上下動させ得るだけの隙間が空いている。
【００５１】
従って、図９に示すように、ねじ４８による連結金具４７と吊り金具３１との締結を解除すると、吊り鉤４９を受け鉤５２に係脱させることができる。
【００５２】
また、リニアモータ１２の固定子３９と可動子４０とは、ガイド溝４３とガイドローラ４５とによって前後離反不能に保持されているため、吊り鉤４９を受け鉤５２に引っ掛けた状態で連結金具４７をねじ４８で吊り金具３１に締結すると、リニアモータ１２は全体として前後動不能の状態に保持される。
【００５３】
リニアモータ１２のケーシング４１はその長手方向に移動不能に保持されている必要がある。このため、図２に示すように、ドア吊り枠１１の左右両端部に平面視Ｌ形のストッパー５３をねじ５４で固定し、これら左右のストッパー５４でケーシング４１を左右移動不能に保持している。
【００５４】
ストッパー５３をねじ５４で固定することに代えて、ストッパー片をドア吊り枠１１に切り起こし形成するなどしても良いし、ケーシング４１の左右端面を、左右の支柱７（又はこれに取り付いたブラケット）に当てても良い。
【００５５】
また、ストッパー５４をねじ等によってケーシング４１に固定しておいても良い（この場合、点検用パネル１４を取り外すと、ドライバーの操作によってストッパー５３を簡単に着脱できるため、リニアモータ１２の取付け・取り外しの容易性が損なわれることはない）。
【００５６】
例えば図４に示すように、ケーシング４１の下端にはその全長にわたって延びる円弧状溝穴５５が空いており、この円弧状溝穴５５にタッピンねじのようなねじをねじ込むことにより、ストッパー５３をケーシング４１の端面に固定しても良い。
【００５７】
なお、受け部材５０は必ずしもケーシング４１と同じ長さである必要はなく、適当な長さのものを断続的に配置しても良い。また、ケーシング４１の吊り鉤４９は逆Ｌ字状でも良い。もちろん、吊り鉤４９と受け鉤５２とを使用しない他の取付け構造も採用できる。
【００５８】
ｆ．リニアモータの配線・付属機器
図６はリニアモータ１２の平面図、図７は部分的な破断斜視図であり、これらの図に示すように、リニアモータ１２におけるケーシング４１の上面から、制御用やコイル励磁用のコード（ケーブル）５７が複数本引き出されている。
【００５９】
なお、本例では、ケーシング４１の左右中央部から制御用のコード５７が引き出されており、これを挟んだ左右両側の部位からコイル励磁用コード５７が引き出されている。
【００６０】
図４や図７に示すように、後部に位置した吊り鉤４９と受け鉤５２にはコード５７を挿通するための切欠き５８が形成されており、更に、ドア吊り枠１１には、コード５７をドア吊り枠１１の裏側に引き出すためのコード挿通穴５９が空けられている。
【００６１】
本例では、各コード５７はジャック６０で接続自在に分断されており、ジャック６０を分離することにより、リニアモータ１２を簡単に取り外したり取付けたりすることができる。言うまでもないが、吊り鉤４９及び受け鉤５２の切欠き５８とドア吊り枠１１のコード挿通穴５９はジャック６０を挿通し得る大きさである。
【００６２】
例えば図６に示すように、リニアモータ１２は電源ボックス６１と制御ボックス６２とを備えており、前記したコード５７は制御ボックス６２に接続されている。電源ボックス６１にはコンセント付きの電源コード５７が接続されており、電源ボックス６１とは制御ボックス６２とコード５７で接続されている。
【００６３】
図４や図５に示すように、制御ボックス６２は前記した収納空間１８に配置されている。ランマパネル１５における補強板２２の上前向き凸部２２ａにもコード挿通穴６３が空いている。なお、ランマパネル１５の上前向き凸部２２ａは必ずしも設ける必要はない。
【００６４】
図４に一点鎖線で示すように、ドア吊り枠１１に、制御ボックス６２等の物品を受けるブラケット６５を取付けても良い。
【００６５】
電源ボックス６１も収納空間１８に配置されているが、電源ボックス６１は高さが高いため、図８の斜視図に示すように、ドア吊り枠１１の下部に、電源ボックス６１を配置するために切欠き６４を形成している。収納空間１８の高さが電源ボックス６１の高さよりも高い場合は、切欠き６４が不要であることは言うまでもない。
【００６６】
なお、ドア９の開閉（すなわちリニアモータ１２の駆動）は、出入り口のそばに設けたスイッチを人が操作することによって手動で行っても良いし、人を検知するセンサーによって自動的に行ってもよい。
【００６７】
ｇ．まとめ
以上の説明から既に理解できるように、レール装置１３を側面視で縦長の姿勢にしてドア吊り枠１１に取り付けたことにより、ドア吊り枠１１のうちレール装置１３が取り付く部分とランマパネル１５との間に収納空間１８を形成することができ、この収納空間１８にリニアモータ１２の制御ボックス６２や電源ボックス６１を収納して、狭い空間を有効利用することができる。
【００６８】
収納空間１８に収納できる物品はリニアモータ１２の付属機器のみには限らず、電話用モデムや構内ＬＡＮ用のコネクタ類又はアダプタ類、或いは防犯・防災装置の中継器など、様々の物品を収納し得る（少なくとも、リニアモータ１２の電源ボックス６１と制御ボックス６２とを収納できれば良い）。
【００６９】
ドア吊り枠１１などに、リニアモータ１２における可動子４０の移動位置又はドア９の開閉位置を検出するセンサーを設けたり、或いは、点検用パネル１４やランマパネル１５などに前記した人検知センサーを設けることがあるが、それらセンサー類を制御する制御ボックス或いは基板を収納空間１８に収納することも可能である。
【００７０】
なお、ドア吊り枠１１の上方に空間が空いている場合は、図５に一点鎖線で示すように、ドア吊り枠１１の上方の空間を物品収納空間に利用することも可能である（この場合は、リニアモータ１２を制御ボックス６２や電源ボックス６１一緒に取り外すことも容易となり、制御ボックス６２や電源ボックス６１の保守を簡単に行える）。
【００７１】
ケーシング４１に、ドア吊り枠１１の上方に位置するブラケットをドア吊り枠１１と干渉しない状態で取付け、このブラケットに制御ボックス６２等の付属機器を取付けても良い。
【００７２】
(2).変形例（図10）
図１０では第１実施形態の変形例を示している。すなわち、この図１０（Ａ）では、前後の吊り鉤４９及び受け鉤５２のうち手前側に位置した吊り鉤４９と受け鉤５２とに切欠き５８を形成し、更に、ドア吊り枠１１における水平片１１ａの前端にコード挿通用の切欠き６６を形成している。
【００７３】
この（Ａ）の例では、リニアモータ１２を取付けるに際して、コード５７は手前に垂らしておくだけで良いため、リニアモータ１２の取付け・取り外しが一層容易になる。また、この変形例では、ランマパネル１５の上前向き凸部２２ａにコード挿通穴６３を空けることに代えて、前向き開口のコード挿通用切欠き６７を形成しており、このため、配線作業が楽である。
【００７４】
図１０（Ｂ）では、ドア吊り枠１１の別形態を示している。すなわち、この例ては、前記実施形態とは異なってランマパネル１５は補強板２２を備えておらず、心板２１をドア吊り枠１１に重ねると共に、ドア吊り枠１１の下端に折曲げ形成した後ろ向き突出部１１ｅに表面板２０を下方から嵌め込み装着している。
【００７５】
なお、（Ｂ）ではリニアモータは省略しており、また、レール装置１３も詳細は省略している。図示していないが、心板２１には、コード５７を通すための通路が形成されている。また、電源ボックス６１は、吊り金具３１と干渉しないようにドア吊り枠１１の端部に配置されている。
【００７６】
(3).第２実施形態（図11〜図13）
図１１〜１３では第２実施形態を示している。この実施形態は、開いたドア９を隠す戸袋を備えたタイプに適用したもので、図１１は全体の正面図、図１２は図１１のXII-XII 視断面図、図１３は図１１のXIII−XIII視断面図である。
【００７７】
この例では、図１３に示すように、表裏一対の戸袋パネル１０の間にドア収納空間７１が形成されている。特に説明するまでもないが、この実施形態は、第１実施形態に比べて、引き戸装置１及び壁２は第１実施形態に比べて相当に厚くなっている。
【００７８】
図１３に示すように、地レール４の端部に、ガイドローラ３７が取り付くブラケット３６を固定している。また、図１３に示す符号６８は、ドア収納空間１８の左右端部に立設した前後一対の縦枠であり、この縦枠６８に戸袋パネル１０が支持されている。縦枠６８は天レール６まで延びている。
【００７９】
図１２に示すように、天レール６の前後側板には内向きの折り返し部６ａが形成されており、この折り返し部６ａに、複数個のパネル受け具７２をねじで固定し、このパネル受け具７２に、点検用パネル１４の上折り返し部を嵌め込んでいる。点検用パネル１４の下部は、支柱７に固定したブラケット６９にねじ１６で固定されている。
【００８０】
ドア９の吊支構造や駆動態様は第１実施形態と殆ど同様で、相違点は、ドア吊り枠１１がリニアモータ１２におけるケーシング４１の側面全体に重なっていたのに対して、本実施形態では、ドア吊り枠１１がケーシング４１の下部のみに重なるように、ドア吊り枠１１の上部１１ｃとケーシング４１と間に隙間が空いている点だけである。
【００８１】
ドア吊り枠１１の上部１１ｃとケーシング４１との間に隙間を空けているのは、ドア吊り枠１１の上部の前面と後面とをドア９の中心線を挟んで前後対称に形成することにより、１つのドア吊り枠１１を前後の向きを変えても左右の支柱７に固定できるようにしているためである。
【００８２】
従って、ドアが右開きタイプでも左開きタイプでも、一つのドア吊り枠１１で対応できる（ドア吊り枠１１は、図１２において上部と下部との右側部分が、支柱７に固定されたブラケットにねじで固定される）。
【００８３】
本実施形態では表裏の点検用パネルとも単なる板状に過ぎないため、ドア吊り枠１１と後部点検用パネル１４との間に大きな前後幅の収納空間１８が形成されている。このため、高さが高くで奥行きのある電源ボックス６１のような物品でも、第１実施形態のような切欠き６４を形成することなく収納できる。この場合、物品の安定性の点からブラケット６５を設けるので好ましい。
【００８４】
図１２に一点鎖線で示すように、ドア吊り枠１１における上水平片１１ａの先端に形成した下向きリップ１１ｄに、ケーシング４１の吊り鉤４９を押さえる止めねじ７０を設けても良い（この点は第１実施形態も同じである）。このようにすると、ケーシング４１の左右両端を単にストッパーで止めただけでも、ケーシング４１をガタ付きのない状態に保持できる。
【００８５】
(4).その他
本発明は上記の実施形態の他にも様々に具体化できる。例えば、上記両実施形態ではリニアモータは固定子と可動子とが上下に重なった状態であったが、固定子と可動子とを前後方向（奥行き方向）に重ねた状態であっても良い。
【００８６】
また、ドア吊り枠の具体的な形態は必要に応じて様々に具体化できる。更に、本発明は、建物の基礎壁に設けた出入り口に設けることも可能であり、この場合は、ドア吊り枠の裏側は基礎壁で覆われているため、点検パネルのみを設けたら良い。
【００８７】
更に、本願発明は、１つの出入り口に２枚のドアを備えた両開き方式にも適用することができる（この場合は、１つのドア吊り枠に２組のリニアモータを直線状に配置すれば良い）。
【図面の簡単な説明】
【図１】第１実施形態の全体的な正面図である。
【図２】要部の破断正面図である。
【図３】図１の III-III視断面図である。
【図４】要部の拡大右側面図である。
【図５】要部の斜視図である。
【図６】要部の一部破断平面図である。
【図７】リニアモータの部分的な破断斜視図である。
【図８】電源ボックスの収納状態を示す破断斜視図である。
【図９】リニアモータの取付け・取り外しの手順を示す断面図である。
【図10】第１実施形態の変形例を示す断面図である。
【図11】第２実施形態の全体的な正面図である。
【図12】図１１のXII-XII 視断面図である。
【図13】図１１のXIII−XIII視断面図である。
【符号の簡単な説明】
１  引き戸装置
９  ドア
１０  ドア
１１  ドア吊り枠
１２  リニアモータ
１３  レール装置
１４  点検用パネル
１５  ランマパネル
１８  収納空間
２６  固定枠
２７  固定レール
２８  ボール群
２９  可動レール
３１  吊り金具
３９  固定子
４０  可動子
４１  ケーシング
４２  一次側部材
４３  ガイド溝
４５  ガイドローラ
４６  二次導体板
６１  電源ボックス
６３  制御ボックス
【図１】
0003729338.tif 000002
【図２】
0003729338.tif 000003
【図３】
0003729338.tif 000004
【図４】
0003729338.tif 000005
【図５】
0003729338.tif 000006
【図６】
0003729338.tif 000007
【図７】
0003729338.tif 000008
【図８】
0003729338.tif 000009
【図９】
0003729338.tif 000010
【図１０】
0003729338.tif 000011
【図１１】
0003729338.tif 000012
【図１２】
0003729338.tif 000013
【図１３】
0003729338.tif 000014